(57)【特許請求の範囲】
【請求項１】
シートを第１向きに搬送する搬送部と、
上記搬送部よりも上記第１向きの下流側に設けられており、上記搬送部によって搬送されたシートが載置される載置面を有する第１トレイ体と、
上記第１トレイ体における上記第１向きの下流側の端部に設けられており、上記載置面に対して上記第１向きの斜め上方へ向かって傾斜した第１傾斜面を有し、上記搬送部によって搬送されるシートの上記第１向きの下流側端と当接可能なストッパと、
上記第１傾斜面から突出し、上記第１向きに沿って複数設けられた凸部と、を備え、
上記凸部は、第２傾斜面を有し、
上記載置面に対する上記第２傾斜面の傾斜角度は、上記載置面に対する上記第１傾斜面の傾斜角度よりも小さいシート搬送装置。
【請求項２】
上記第１向きの下流側に形成された上記凸部の上記第２傾斜面の上記第１傾斜面に対する傾斜角度は、上記第１向きの上流側に形成された上記凸部の上記第２傾斜面の上記第１傾斜面に対する傾斜角度よりも小さい請求項１に記載のシート搬送装置。
【請求項３】
上記凸部は、
上記第１向きと交差し且つ上記第１傾斜面に沿った第２方向において複数設けられている請求項１または２に記載のシート搬送装置。
【請求項４】
上記第１トレイ体は、上記第１トレイ体とともにシートを載置可能な第２トレイ体を備え、
上記第２トレイ体は、上記第１トレイ体における上記第１向きの下流側の端部から上記第１向きに突出されシートを載置する第１位置、及び上記第１位置よりも上記第１向きの上流側の第２位置に移動可能であり、
上記ストッパは、
上記第２トレイ体における上記第１向きの下流側の端部に設けられている請求項１から３のいずれかに記載のシート搬送装置。
【発明の詳細な説明】
【技術分野】
【０００１】
本発明は、当該装置から排出されたシートを載置するトレイを有するシート搬送装置に関する。
【背景技術】
【０００２】
従来より、内部においてシートを搬送可能な装置がある。当該装置の一例としては、複写機やプリンタなどの画像記録装置がある。画像記録装置によって画像を記録されたシートは、当該画像記録装置から排出される。画像記録装置の多くには、画像記録装置から排出されるシートを載置するためのトレイが設けられている。ここで、シートは、排出ローラによって排出向きに搬送されながらトレイに載置される。
【０００３】
特許文献１に記載された排紙スタッカにおいては、シートの排出向きの先端部に、排出向き側斜め上方に所定の角度で傾斜する傾斜面からなる用紙ストッパ部が設けられている。これにより、排紙スタッカに排紙されるシートは、用紙ストッパ部によって移動を止められるため、排紙スタッカから滑り落ちることが無くなる。
【先行技術文献】
【特許文献】
【０００４】
【特許文献１】特開２００３−９５５１８号公報
【発明の概要】
【発明が解決しようとする課題】
【０００５】
通常、特許文献１に記載された用紙ストッパ部の傾斜角度は、画像記録装置から排出されるシートを確実に止めることが可能な角度に設定される。また、用紙ストッパ部は、想定される長さの用紙を載置可能な位置に形成されている。すなわち、排出ローラから排出されたシートは、その後シートに作用している慣性で排出向きに沿って移動し、用紙ストッパ部に当接することで止まる。しかし、画像記録装置の使用状況によっては、ストッパによるシートの排出の停止が、シートの排出動作に悪影響を与えることがある。
【０００６】
例えば、画像記録装置から排出される想定よりも長いシートは、シートを確実に止めることが可能な傾斜角度が設定された用紙ストッパ部を乗り越えることができない。この場合、当該シートはトレイ上に留まり、当該シートの後端部分が画像記録装置から排出されないおそれがある。また、次に搬送されてきたシートが、トレイ上に留まっている当該シートによって移動を妨げられ、トレイに排出されないおそれがある。すると、当該次に搬送されてきたシートが、画像記録装置内において詰まってしまうおそれがある。また、用紙ストッパ部がシートの排出向きに沿って移動可能な構成の場合、用紙ストッパ部が誤った位置に配置されると、上記と同様の問題が発生する。
【０００７】
上記のような問題を解決するために、用紙ストッパ部の傾斜角度を緩やかにすることが考えられる。しかし、傾斜角度を緩やかにすると、排出向きに搬送されながらトレイに載置されたシートが、用紙ストッパ部を乗り越えてしまい、トレイから滑り落ちてしまうおそれがある。
【０００８】
本発明は、上記問題に鑑みてなされたものであり、その目的は、排出動作に悪影響を与えることを防止可能な構造を提供することにある。
【課題を解決するための手段】
【０００９】
(1)  本発明のシート搬送装置は、シートを第１向きに搬送する搬送部と、上記搬送部よりも上記第１向きの下流側に設けられており、上記搬送部によって搬送されたシートを載置する載置面を有する第１トレイ体と、上記第１トレイ体における上記第１向きの下流側の端部に設けられており、上記載置面に対して上記第１向きの斜め上方へ向かって傾斜した第１傾斜面を有し、上記搬送部によって搬送されるシートの上記第１向きの下流側端と当接可能なストッパと、上記第１傾斜面から突出し、上記第１向きに沿って複数設けられた凸部と、を備えている。上記凸部は、上記載置面に対して、上記第１傾斜面の傾斜角度よりも傾斜角度の小さい第２傾斜面を有する。
【００１０】
本構成によれば、搬送部によって搬送されるシートは、載置面に沿って第１向きに搬送される。次に、当該シートは、第１傾斜面に沿って第１向きに搬送される。このとき、当該シートの先端は、載置面に対して第１傾斜面よりも急な角度である第２傾斜面にぶつかる。これにより、当該シートの搬送力が低下する。また、第２傾斜面を有する凸部は第１向きに沿って複数形成されている。よって、当該シートが第２傾斜面に沿って一つの凸部を乗り越えたとしても、当該シートの先端は搬送力が低下した状態で次の凸部の第２傾斜面にぶつかる。これにより、当該シートの搬送力が更に低下する。以上のように、当該シートは、複数の凸部によって搬送力が低下させられることによって、ストッパを乗り越えることなく停止可能である。
【００１１】
一方、シートの先端がストッパと当接する位置まで搬送された後も搬送部によってさらに下流側に搬送される場合も、当該シートの先端は、第２傾斜面にぶつかる。しかし、シートの後端部が搬送部によって搬送されている。これにより、当該シートは、第２傾斜面にぶつかっても、搬送力が低下されない。その結果、当該シートは、第２傾斜面に沿って凸部を乗り越えて、第１傾斜面に沿って第１向きに搬送され続ける。ここで、第１傾斜面は、載置面に対して第２傾斜面よりも緩やかな面である。よって、当該シートは、複数の凸部を、搬送力を低下されることなく乗り越えながら、第１傾斜面を有するストッパを乗り越えることができる。
【００１２】
(2)  上記第１向きの下流側に形成された上記凸部の上記第２傾斜面の上記第１傾斜面に対する傾斜角度は、上記第１向きの上流側に形成された上記凸部の上記第２傾斜面の上記第１傾斜面に対する傾斜角度よりも小さい。
【００１３】
本構成によれば、第１傾斜面に沿って第１向きに搬送されるシートが一つの凸部を乗り越えたとしても、当該シートの先端は、搬送力が低下した状態で更に急傾斜の第２傾斜面にぶつかる。これにより、（１）よりも確実に、当該シートを停止させることができる。
【００１４】
(3)  上記凸部は、上記第１向きと交差し且つ上記第１傾斜面に沿った第２方向において複数設けられている。
【００１５】
第１傾斜面に沿って第１向きに搬送されるシートが、第２方向の一箇所において第２傾斜面にぶつかった場合、当該シートは、当該シートの先端と第２傾斜面との接触位置を中心として、載置面や第１傾斜面に沿った方向に回転するおそれがある。その結果、当該シートは、シートの搬送路を構成する壁面に衝突することなどによって、折れてしまうおそれがある。
【００１６】
しかし、本構成によれば、第１傾斜面に沿って第１向きに搬送されるシートは、第２方向において複数箇所で第２傾斜面にぶつかる。これにより、当該シートが上述のような回転をする可能性を低くすることができる。また、本構成によれば、当該シートの先端が第２方向に沿った状態で、当該シートを停止させることができる。これにより、複数のシートが第１トレイ体に排出された場合に、各シートを相互に整列された状態で停止させることができる。
【００１７】
(4)  上記第１トレイ体は、上記第１トレイ体とともにシートを載置可能な第２トレイ体を備えている。上記第２トレイ体は、上記第１トレイ体における上記第１向きの下流側の端部から上記第１向きに突出されシートを載置する第１位置、及び上記第１位置よりも上記第１向きの上流側の第２位置に移動可能である。上記ストッパは、上記第２トレイ体における上記第１向きの下流側の端部に設けられている。
【００１８】
第１向きに沿って移動可能な第２トレイ体を備えることによって、第１トレイ体には、種々のサイズのシートが載置可能となる。また、第２トレイ体が第１位置に位置している状態において、第２位置に対応したサイズのシートが搬送されてきても、（１）で述べたように、当該シートは、複数の凸部を、搬送力を低下されることなく乗り越えながら、ストッパを乗り越えることができる。つまり、第２トレイ体を備えた構成は、本発明の効果を実現するための好適な構成である。
【発明の効果】
【００１９】
本発明においては、第１向きに排出されるシートは、複数の凸部によって搬送力が低下させられることによって、ストッパを乗り越えることなく停止可能である。一方、シートがストッパよりも下流側の位置まで搬送部によって第１向きに排出される場合、当該シートは、複数の凸部を、搬送力を低下されることなく乗り越えながら、ストッパを乗り越えることができる。つまり、本発明においては、排出動作に悪影響を与えることがない。
【図面の簡単な説明】
【００２０】
【図１】図１は、複合機１０の斜視図である。
【図２】図２は、プリンタ部１１の内部構造を模式的に示す縦断面図である。
【図３】図３は、拡張トレイ９２が第２位置の状態の給紙トレイ２２の斜視図である。
【図４】図４は、拡張トレイ９２が第１位置の状態の給紙トレイ２２の斜視図である。
【図５】図５は、図４の一点鎖線で示された円部分の拡大図である。
【図６】図６は、排紙トレイ２３と拡張トレイ９２とストッパ９４を模式的に示す右側面図であり、（Ａ）には各凸部９７の形状が相互に同一の場合が示されており、（Ｂ）には各凸部９７の形状が相互に異なる場合が示されており、（Ｃ）には凸部９７の形状が図６（Ａ）、（Ｂ）と異なる場合が示されている。
【図７】図７は、ストッパ９４を模式的に示す平面図であり、（Ａ）には凸部９７が左右方向９において上面９６の中央部に形成された場合が示されており、（Ｂ）には凸部９７が左右方向９において上面９６の３箇所に形成された場合が示されており、（Ｃ）には凸部９７が前後方向８において上面９６に３個形成された場合が示されており、（Ｄ）には凸部９７同士の前後方向８の間隔が搬送向き６の上流側である程広い場合が示されており、（Ｅ）には凸部９７の左右方向９における長さが搬送向き６の下流側である程長い場合が示されている。
【発明を実施するための形態】
【００２１】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。また、以下の説明においては、ベクトルにおいて矢印を考慮して起点から終点に向かう進みが向きと表現され、ベクトルにおいて矢印を考慮せずに起点と終点とを結ぶ線上の往来が方向と表現される。また、以下の説明においては、複合機１０が使用可能に設置された状態（図１の状態）を基準として上下方向７を定義し、開口１３が設けられている側を手前側（正面）として前後方向８を定義し、複合機１０を手前側（正面）から見て左右方向９を定義する。また、給紙トレイ２１，２２については、複合機１０に装着された状態（図１の状態）を基準として、上下方向７、前後方向８及び左右方向９を定義する。
【００２２】
［複合機１０の概略構成］
図１に示されるように、本発明のシート搬送装置の一例としての複合機１０は、上部にスキャナ部１２、下部にインクジェット記録方式のプリンタ部１１が設けられている。複合機１０は、ファクシミリ機能及びプリント機能などの各種の機能を有している。
【００２３】
プリンタ部１１の正面側に開口１３が形成されている。プリンタ部１１は、給紙トレイ２１、２２と、記録部４０（図２参照）とを備えている。プリンタ部１１は、開口１３を通じて、給紙トレイ２１、２２を前後方向８に挿抜可能である。また、本実施形態においては、複合機１０には、２つの給紙トレイ２１、２２が設けられているが、給紙トレイの数は２つに限らない。例えば、複合機１０には、１つの給紙トレイ、或いは３つ以上の給紙トレイが設けられていてもよい。
【００２４】
給紙トレイ２１、２２には、記録用紙５０（本発明のシートの一例）が載置される（図２参照）。プリンタ部１１においては、記録用紙５０が、給紙トレイ２１または給紙トレイ２２からプリンタ部１１内へ選択的に供給される。供給された記録用紙５０は、記録部４０によって画像が記録された後に給紙トレイ２２の上面に形成されている排紙トレイ２３（本発明の第１トレイ体の一例）に排出される。なお、排紙トレイ２３については、後述される。
【００２５】
図１及び図２に示されるように、給紙トレイ２１、２２は、給紙トレイ２２を上側として上下二段に配置されている。給紙トレイ２１、２２は、いずれも画像記録が行われる記録用紙５０を保持するものである。２つの給紙トレイ２１、２２が設けられることによって、それぞれにサイズや紙種が異なる記録用紙５０が保持され得る。
【００２６】
［搬送路１７、１８、１９及び供給部２８、３８］
図２に示されるように、給紙トレイ２２の傾斜板２４の上側には、湾曲状に形成された搬送路１８が設けられている。プリンタ部１１に給紙トレイ２２が装着されると、傾斜板２４が搬送路１８の下方に配置され、かつ給紙トレイ２２の上側に第１供給部２８が配置される。第１供給部２８は、給紙ローラ２５、アーム２６、及び軸２７を有している。給紙ローラ２５は、アーム２６の先端側に回転可能に設けられている。アーム２６は、プリンタ部１１の筐体に支持された軸２７に回動可能に設けられている。アーム２６は、自重によって或いはバネ等による弾性力を受けて給紙トレイ２２側へ回動付勢されている。第１供給部２８は、給紙トレイ２２から記録用紙５０をピックアップして搬送路１８に給送する。第２供給部３８は、第１供給部２８と同様の構成である。つまり、第２供給部３８は、給紙ローラ３５、アーム３６、及び軸３７を有しており、給紙トレイ２１から記録用紙５０をピックアップして搬送路１７に給送する。
【００２７】
プリンタ部１１の内部には、搬送路１７及び搬送路１８と連続する搬送路１９が設けられている。搬送路１９は、搬送路１７または搬送路１８に沿って搬送された記録用紙５０が搬送される経路であり、搬送路１７と搬送路１８とが合流する位置から複合機１０の正面側へ向けて排紙トレイ２３の上方まで延出されている。
【００２８】
［記録部４０］
記録部４０は、記録ヘッド４２を搭載して主走査方向（図２の紙面に垂直な方向、つまり左右方向９）へ往復移動するキャリッジ４１を備えている。記録ヘッド４２には、インクカートリッジ（不図示）からシアン（Ｃ）・マゼンタ（Ｍ）・イエロー（Ｙ）・ブラック（Ｂｋ）の各色インクが供給される。記録ヘッド４２は、その下面に設けられたノズルから、各インクを微小なインク滴として吐出する。キャリッジ４１が主走査方向へ往復動することにより、記録ヘッド４２が記録用紙５０に対して走査され、記録部４０の下方に記録部４０と対向して設けられているプラテン４３上を搬送される記録用紙５０に画像が記録される。プラテン４３は、搬送路１９に沿って搬送される記録用紙５０を支持する部材である。
【００２９】
［搬送ローラ対５９及び排出ローラ対６４］
図２に示されるように、記録部４０よりも記録用紙５０の搬送向き６（本発明の第１向きの一例）の上流側に搬送ローラ対５９が設けられている。搬送向き６は、前後方向８に沿う前向きである。搬送ローラ対５９は、搬送ローラ６０及びピンチローラ６１からなる。搬送ローラ６０は、搬送路１９の上側に配置されており、搬送モータ（不図示）からの駆動力を受けて回転する。ピンチローラ６１は、搬送路１９を挟んで搬送ローラ６０の下側に回転自在に配置されており、搬送ローラ６０へ向けてバネによって付勢されている。
【００３０】
記録部４０よりも記録用紙５０の搬送向き６の下流側に排出ローラ対６４（本発明の搬送部の一例）が設けられている。排出ローラ対６４は、排紙ローラ６２及び拍車６３からなる。排紙ローラ６２は、搬送路１９の下側に配置されており、上記搬送モータからの駆動力を受けて回転する。拍車６３は、搬送路１９を挟んで排紙ローラ６２の上側に回転自在に配置されており、排紙ローラ６２へ向けてバネによって付勢されている。
【００３１】
搬送ローラ対５９及び排出ローラ対６４は、記録用紙５０を搬送向き６に搬送する。つまり、給紙トレイ２１または給紙トレイ２２から第１供給部２８または第２供給部３８によって給送された記録用紙５０は、搬送ローラ対５９によって記録部４０へ案内され、記録部４０で画像が記録される。その後、排出ローラ対６４によって排紙トレイ２３に排出される。
【００３２】
［給紙トレイ２１、２２］
図１及び図２に示されるように、給紙トレイ２１、２２は、プリンタ部１１に装着された状態において、記録部４０の下方に配置されている。給紙トレイ２１、２２は、傾斜板２４が設けられている側を先端として、後向きに開口１３に挿し込まれることでプリンタ部１１に装着される（図１及び図２の状態）。これにより、給紙トレイ２１、２２に収容された記録用紙５０がプリンタ部１１の搬送路１７、１８へ供給可能となる。給紙トレイ２１、２２は、上記先端と反対側の後端から前向きに開口１３から引き出されることでプリンタ部１１から取り出される。これにより、給紙トレイ２１、２２への記録用紙５０の補充が可能となる。給紙トレイ２１は、その上面の一部を排紙トレイ２３によって覆われていないことを除いて、給紙トレイ２２と同様の構成を有している。このため、以下においては、給紙トレイ２２の構成について説明し、給紙トレイ２１の構成については、その説明が省略される。
【００３３】
図３及び図４に示されるように、給紙トレイ２２は、平面視で挿抜方向（本実施形態では前後方向８）へ長い矩形の皿状に概ね形成されている。給紙トレイ２２は、記録用紙５０が載置される底板７５と、底板７５の後端において立設された傾斜板２４と、底板７５の前端において立設された第１前板８３と、底板７５の左右方向９の両端において立設された第１側板８１とを備えている。なお、本実施形態において、傾斜板２４は、一枚の後板３０に複数のリブ３１が取り付けられた形状である。
【００３４】
底板７５には、一対のサイドガイド７７が設けられている。サイドガイド７７の一方が底板７５の左右方向９へスライドされると、これに連動して、サイドガイド７７の他方が相反する方向へスライドされる。これにより、記録用紙５０の左右方向９の中央位置が底板７５の左右方向９の中央に略一致する。
【００３５】
また、底板７５には、リヤガイド（不図示）が設けられている。リヤガイドは、底板７５の左右方向９の中央であって、前後方向８の中央よりも前側に設けられている。つまり、リヤガイドは、図３及び図４において、後述する排紙トレイ２３の下方に設けられている。すなわち、リヤガイドは、図３及び図４において、排紙トレイ２３の下方に隠れている。リヤガイドは、前後方向８へスライド可能に構成されている。給紙トレイ２２に記録用紙５０が収容された状態でリヤガイドが前後方向８へスライドされると、リヤガイドが記録用紙５０の前端に当接する。これにより、記録用紙５０の前端がサイズに応じた位置に規制される。
【００３６】
［排紙トレイ２３］
図２に示されるように、排紙トレイ２３は、排出ローラ対６４よりも搬送向き６の下流側に設けられている。図３及び図４に示されるように、排紙トレイ２３は、平面視で左右方向９へ長い矩形の皿状に概ね形成されている。排紙トレイ２３は、平板５１と、平板５１の前端において下向きに立設された第２前板５２と、平板５１の左右方向９の両端において下向きに立設された第２側板５３とを備えている。平板５１の上面５５には、排出ローラ対６４によって搬送された記録用紙５０が載置される。つまり、平板５１の上面５５は、本発明の載置面に相当する。
【００３７】
排紙トレイ２３は、リンク１３０を介して給紙トレイ２２と連結されている。リンク１３０は、第１側板８１から上方へ突設されており、突端付近に支持孔１３８が設けられている。また、本実施形態においては、リンク１３０は、給紙トレイ２２における前後方向８の概ね中央から突設されている。排紙トレイ２３の後端の左右両側には、左右方向９の外側へ突出する軸９１が設けられている。軸９１は、支持孔１３８に挿通される。これにより、排紙トレイ２３は、リンク１３０によって回動可能に支持され、軸９１を中心として、図３の矢印１４０の方向に回動される。
【００３８】
排紙トレイ２３が給紙トレイ２２に対して倒伏された状態（図３及び図４の状態）において、第２前板５２の下面と第１前板８３の上面とが当接し、第２側板５３の下面と第１側板８１の上面とが当接する。これにより、給紙トレイ２２の上面のうちリンク１３０よりも前側の部分は、排紙トレイ２３によって覆われた状態となる。つまり、排紙トレイ２３は、給紙トレイ２２の上面の一部を覆う。なお、排紙トレイ２３は、給紙トレイ２２の上面の全部を覆うように構成されていてもよい。一方、排紙トレイ２３が給紙トレイ２２に対して上側に回動された状態においては、給紙トレイ２２の上面が開放される。
【００３９】
［拡張トレイ９２］
図３に示されるように、排紙トレイ２３の平板５１の下方には、拡張トレイ９２（本発明の第２トレイ体の一例）が収納されている。
【００４０】
図３及び図４に示されるように、拡張トレイ９２は、排紙トレイ２３の第２前板５２の左右方向９の中央部に形成された開口を介して出没可能に構成されている。詳細には、拡張トレイ９２は、排紙トレイ２３の収納スペースから突出されて拡張トレイ９２の上面９３が最大限に露出される第１位置（図４参照、本発明の第１位置の一例）と排紙トレイ２３の収納スペースに収納される第２位置（図３参照、本発明の第２位置の一例）との間で移動可能に構成されている。
【００４１】
拡張トレイ９２が第１位置であるとき、拡張トレイ９２の露出された上面９３には、排出ローラ対６４によって搬送向き６に搬送された記録用紙５０が載置される。詳細には、記録用紙５０は、その搬送向き６の下流側の部分を拡張トレイ９２の上面９３に載置されるとともに、その搬送向き６の上流側の部分を排紙トレイ２３の平板５１の上面５５に載置される。以上より、排紙トレイ２３は、排紙トレイ２３とともに記録用紙５０を載置可能な拡張トレイ９２を備えている。そして、拡張トレイ９２は、排紙トレイ２３における搬送向き６の下流側の端部（排紙トレイ２３の前端部）から搬送向き６（前側）に突出され記録用紙５０を載置する第１位置、及び第１位置よりも搬送向き６の上流側（後側）の第２位置に移動可能である。
【００４２】
［ストッパ９４］
図４及び図５に示されるように、拡張トレイ９２における搬送向き６の下流側の端部（拡張トレイ９２の前端部）に、ストッパ９４（本発明のストッパの一例）が取り付けられている。
【００４３】
ストッパ９４は、平板形状の部材である。排出ローラ対６４によって搬送向き６に搬送されて、排紙トレイ２３に載置された記録用紙５０の先端は、更に搬送向き６に搬送されることによって、ストッパ９４の上面９６と当接される。つまり、ストッパ９４は、排出ローラ対６４によって搬送される記録用紙５０の先端、つまり記録用紙５０の搬送向き６の下流側端と当接可能である。そして、記録用紙５０は、ストッパ９４と当接することによって制止される。これにより、拡張トレイ９２まで排出された記録用紙５０が拡張トレイ９２の前側から垂れ落ちたり落下したりすることが防止可能である。
【００４４】
ストッパ９４は、拡張トレイ９２の上面９３に形成された凹部４５に収納可能である。凹部４５の側内壁の前端部に、図示しない軸孔が形成されている。軸孔の軸線は、左右方向９に一致している。ストッパ９４は、左右方向９の両側端から外側へ突出する回動軸９５を有する。なお、図５には、ストッパ９４の左側部から外側へ突出した回動軸９５のみが記されており、ストッパ９４の右側部から外側へ突出した回動軸は隠れている。回動軸９５が凹部４５に形成された軸孔に挿入されて支持される。これにより、ストッパ９４が、拡張トレイ９２の前端部において、回動軸９５を中心として回動可能に拡張トレイ９２によって支持される。
【００４５】
ストッパ９４は、拡張トレイ９２の上面９３に対して倒伏して凹部４５内に収納される倒伏姿勢と、拡張トレイ９２の上面９３に対して所定角度で傾倒する傾倒姿勢（図４及び図５参照）との間で回動可能である。通常、ストッパ９４は、拡張トレイ９２が第１位置である場合に姿勢変化される。また、通常、拡張トレイ９２は、ストッパ９４が倒伏姿勢である場合に第２位置に移動される。なお、ストッパ９４が傾倒姿勢の状態において、拡張トレイ９２が第１位置から第２位置側へ移動されることは可能である。
【００４６】
図６（Ａ）に示されるように、本実施形態において、ストッパ９４が傾倒姿勢の状態において、ストッパ９４の上面９６と、排紙トレイ２３の平板５１の上面５５とがなす角は、角度θ１である。つまり、ストッパ９４の上面９６は、排紙トレイ２３の平板５１の上面５５に対して、搬送向き６の斜め上方へ向かって傾斜している。すなわち、ストッパ９４の上面９６は、本発明の第１傾斜面の一例である。
【００４７】
なお、本実施形態において、ストッパ９４は、拡張トレイ９２の前端部に取り付けられているが、拡張トレイ９２が設けられていない構成の場合、ストッパ９４は、排紙トレイ２３の前端部に取り付けられてもよい。
【００４８】
［凸部９７］
図５に示されるように、ストッパ９４の上面９６には、複数の凸部９７（本発明の凸部の一例）がストッパ９４と一体に形成されている。
【００４９】
本実施形態において、凸部９７の左右方向９の位置は、ストッパ９４の上面９６の両端部である。つまり、凸部９７は、搬送向き６と交差し且つストッパ９４の上面９７に沿った左右方向９（本発明の第２方向の一例）において複数設けられている。また、凸部９７は、上面９６に沿って、一定間隔を空けて、一端に４個ずつ形成されている。つまり、凸部９７は、ストッパ９４の上面９６から突出し、搬送向き６に沿って複数設けられている。
【００５０】
なお、本実施形態において、凸部９７は、左右方向９において、ストッパ９４の上面９６の両端に設けられているが、凸部９７が設けられる位置は、ストッパ９４の上面９６の両端に限らない。また、本実施形態において、凸部９７は、左右方向９において、２箇所に設けられているが、２箇所に限らない。また、本実施形態において、凸部９７は、ストッパ９４の上面９６に沿って４個ずつ形成されているが、４個に限らない。また、本実施形態において、凸部９７は、ストッパ９４の上面９６に沿って、一定間隔を空けて形成されているが、凸部９４が形成される間隔は一定間隔に限らない。
【００５１】
例えば、図７（Ａ）に示されるように、凸部９７の左右方向９の位置が、ストッパ９４の上面９６の中央部であってもよい。また、凸部９７は、左右方向９において、ストッパ９４の上面９６の１箇所（図７（Ａ）参照）に設けられていてもよいし、ストッパ９４の上面９６の３箇所（図７（Ｂ）参照）に設けられていてもよい。また、図７（Ｃ）に示されるように、凸部９７は、前後方向８において、ストッパ９４の上面９６に３個形成されていてもよい。また、図７（Ｄ）に示されるように、凸部９７は、前後方向８において、搬送向き６の上流側である程、相互の間隔が広くてもよい。
【００５２】
図５及び図６（Ａ）に示されるように、凸部９７は、第１面９８及び第２面９９を備えている。なお、図５において、第１面９８及び第２面９９の符号は、一つの凸部９７についてのみ付されている。また、図６（Ｂ）において、第２面９９の符号は省略されている。また、図７において、第１面９８及び第２面９９の符号は省略されている。
【００５３】
図６（Ａ）に示されるように、第１面９８と、ストッパ９４の上面９６とがなす角は、角度θ２である。つまり、第１面９８は、ストッパ９４の上面９６に対して、搬送向き６の斜め上方へ向かって傾斜している。そして、角度θ２は、上述した角度θ１よりも小さい。つまり、第１面９８は、本発明の第２傾斜面の一例である。一方、第２面９９は、ストッパ９４の上面９６に対して、搬送向き６と逆向きの斜め上方へ向かって傾斜している。なお、凸部９７の形状は、第１面９８を有しているならば、図５及び図６（Ａ）に示された形状に限らない。例えば、凸部９７は、図６（Ｃ）に示されるような形状であってもよい。
【００５４】
［実施形態の効果］
本実施形態によれば、図４に示されるように、排出ローラ対６４によって搬送される記録用紙５０は、排紙トレイ２３の平板５１の上面５５に沿って搬送向き６に搬送される。その後、当該記録用紙５０は、ストッパ９４の上面９６に沿って搬送向き６に搬送される。このとき、当該記録用紙５０の先端は、平板５１の上面５５に対してストッパ９４の上面９６よりも急な角度である凸部９７の第１面９８（図５参照）にぶつかる。これにより、当該記録用紙５０の搬送力が低下する。また、第１面９８を有する凸部９７は搬送向き６に沿って複数（本実施形態では４個）形成されている。よって、当該記録用紙５０が第１面９８に沿って一つの凸部９７を乗り越えたとしても、当該記録用紙５０の先端は搬送力が低下した状態で次の凸部９７の第１面９８にぶつかる。これにより、当該記録用紙５０の搬送力が更に低下する。以上のように、当該記録用紙５０は、複数の凸部９７によって搬送力が低下させられることによって、ストッパ９４を乗り越えることなく停止可能である。なお、角度θ１及び角度θ２の角度は、記録用紙５０の乗り越え及び停止に対応できるよう、それぞれ設計上好適な角度に設定される。
【００５５】
一方、記録用紙５０の先端がストッパ９４と当接する位置まで搬送された後も排出ローラ対６４によってさらに下流側に搬送される場合も、当該記録用紙５０の先端は、凸部９７の第１面９８にぶつかる。
【００５６】
このような状況は、例えば、複合機１０から想定よりも長い記録用紙が排出された場合に起こる。具体的には、複合機１０に手差しトレイが設けられている場合、想定よりも長い記録用紙５０がユーザによって当該手差しトレイに載置されるおそれがある。また、給紙トレイ２１、２２から複数の記録用紙５０が重送されるおそれがある。この場合、重送されている記録用紙５０を一体として見た場合に、当該記録用紙５０の長さは、見かけ上、想定よりも長くなる。
【００５７】
また、このような状況は、例えば、拡張トレイ９２の排紙トレイ２３の引き出しが足りない場合にも起こる。具体的には、上記状況は、拡張トレイ９２が第２位置よりも搬送向き６の下流側、つまり前側にスライドされているが、第１位置よりも搬送向き６の上流側、つまり後側までしかスライドされていない状況である。
【００５８】
そして、上述のような場合、記録用紙５０の先端がストッパ９４と当接する位置まで搬送された後も、記録用紙５０の後端部が排出ローラ対６４によって搬送されている状態となる。これにより、当該記録用紙５０は、凸部９７の第１面９８にぶつかっても、搬送力が低下されない。その結果、当該記録用紙５０は、第１面９８に沿って凸部９７を乗り越えて、ストッパ９４の上面９６に沿って搬送向き６に搬送され続ける。ここで、ストッパ９４の上面９６は、排紙トレイ２３の平板５１の上面５５に対して凸部９７の第１面９８よりも緩やかな面である。よって、当該記録用紙５０は、複数の凸部９７を、搬送力を低下されることなく乗り越えながら、上面９６を有するストッパ９４を乗り越えることができる。以上より、本実施形態においては、排出動作に悪影響を与えることが低減される。特に、複数の凸部９７は、搬送向き６に沿って間隔を空けて配置されている。従って、凸部９７が上面９６よりも傾斜角度が小さく形成されていても、記録用紙５０が凸部９７に当接後乗り越えれば、排出ローラ対６４による搬送力が戻るため、記録用紙５０によるストッパ９４の乗り越えが容易になる。
【００５９】
ストッパ９４の上面９６に沿って搬送向き６に搬送される記録用紙５０が、左右方向９の一箇所において凸部９７の第１面９８にぶつかった場合、当該記録用紙５０は、当該記録用紙５０の先端と凸部９７の第１面９８との接触位置を中心として、排紙トレイ２３の平板５１の上面５５やストッパ９４の上面９６に沿った方向に回転するおそれがある。その結果、当該記録用紙５０は、記録用紙５０の搬送路を構成する壁面、例えば図１に示される開口１３の左右両端の側壁に衝突することなどによって、折れてしまうおそれがある。
【００６０】
しかし、本実施形態によれば、ストッパ９４の上面９６に沿って搬送向き６に排出される記録用紙５０は、左右方向９において複数箇所で凸部９７の第１面９８にぶつかる。これにより、当該記録用紙５０が上述のような回転をする可能性を低くすることができる。また、本実施形態によれば、当該記録用紙５０の先端が左右方向９に沿った状態で、当該記録用紙５０を停止させることができる。これにより、複数の記録用紙５０が排紙トレイ２３に排出された場合に、各記録用紙５０を相互に整列された状態で停止させることができる。
【００６１】
また、本実施形態においては、複合機１０は、搬送向き６に沿って移動可能な拡張トレイ９２を備えている。これにより、排紙トレイ２３には、種々のサイズの記録用紙５０が載置可能となる。また、拡張トレイ９２が第１位置に位置している状態において、第２位置に対応したサイズの記録用紙５０が搬送されてきても、上述したように、当該記録用紙５０は、複数の凸部９７を、搬送力を低下されることなく乗り越えながら、ストッパ９４を乗り越えることができる。つまり、拡張トレイ９２を備えた構成は、本実施形態の効果を実現するための好適な構成である。なお、上述したとおり、排紙トレイ２３が拡張トレイ９２を有さず、凸部９７を備えたストッパ９４が排紙トレイ２３に直接設けられていてもよい。また、本実施形態における排紙トレイ２３は、給紙トレイ２２に回動可能に形成されている。しかしながら、排紙トレイ２３が複合機１０に形成されていてもよい。
【００６２】
［実施形態の変形例１］
上述の実施形態において、凸部９７の第１面９８と、ストッパ９４の上面９６とがなす角は、角度θ２であった。しかし、搬送向き６の下流側、つまり前側に形成された凸部９７の第１面９８の、ストッパ９４の上面９６に対する傾斜角度は、搬送向き６の上流側、つまり後側に形成された凸部９７の第１面９８の、ストッパ９４の上面９６に対する傾斜角度よりも小さくてもよい。
【００６３】
例えば、図６（Ｂ）に示されるように、搬送向き６に沿って形成された４個の凸部９７Ａ〜９７Ｄの第１面９８と、ストッパ９４の上面９６とがなす角の角度θ３〜θ６が、それぞれ異なっていてもよい。なお、この場合、角度θ３〜θ６は、θ３＜θ４＜θ５＜θ６の関係を満たす。
【００６４】
変形例１によれば、ストッパ９４の上面９６に沿って搬送向き６に搬送される記録用紙５０が一つの凸部９７を乗り越えたとしても、当該記録用紙５０の先端は、搬送力が低下した状態で更に急傾斜の凸部９７の第１面９８にぶつかる。これにより、上述の実施形態よりも確実に、当該記録用紙５０を停止させることができる。
【００６５】
［実施形態の変形例２］
上述の実施形態において、図５及び図７（Ａ）〜（Ｄ）に示されるように、各凸部９７の左右方向９における長さは同一であった。しかし、図７（Ｅ）に示されるように、各凸部９７の左右方向９における長さが、搬送向き６の下流側、つまり前側である程、長くてもよい。このような構成とすることにより、上記の変形例１と同様の効果を奏することができる。
【符号の説明】
【００６６】
６・・・搬送向き
１０・・・複合機
２３・・・排紙トレイ
５０・・・記録用紙
５５・・・上面
６４・・・排出ローラ対
９２・・・拡張トレイ
９４・・・ストッパ
９６・・・上面
９７・・・凸部
９８・・・第１面
【図１】
0005691698.tif 000002
【図２】
0005691698.tif 000003
【図３】
0005691698.tif 000004
【図４】
0005691698.tif 000005
【図５】
0005691698.tif 000006
【図６】
0005691698.tif 000007
【図７】
0005691698.tif 000008